【手続補正書】
【提出日】平成20年7月16日(2008.7.16)
【手続補正１】
【補正対象書類名】明細書
【補正対象項目名】特許請求の範囲
【補正方法】変更
【補正の内容】
【特許請求の範囲】
【請求項１】  周辺機器管理装置と接続され、更新可能なリソースデータを保持する印刷装置であって、
前記周辺機器管理装置から印刷ジョブと該印刷ジョブの処理時に使用されるリソースデータとを受信する受信手段と、
前記受信手段によりリソースデータを受信した場合に、それ以降の新たな印刷ジョブの受信を停止し、すでに受信されている印刷ジョブの処理が完了したと判定したなら、前記受信手段により受信したリソースデータにより、保持されているリソースデータを更新する更新手段と
を備えることを特徴とする印刷装置。
【請求項２】  前記更新手段は、前記受信手段によりリソースデータを受信した場合に、すでに受信されて待機状態にある印刷ジョブの印刷出力がしたなら、当該印刷ジョブの処理の完了と判定することを特徴とする請求項１に記載の印刷装置。
【請求項３】  前記更新手段は、前記受信手段によりリソースデータを受信した場合に、すでに受信されて待機状態にある印刷ジョブを削除し、当該印刷ジョブの処理の完了と判定することを特徴とする請求項１に記載の印刷装置。
【請求項４】  前記更新手段は、前記受信手段によりリソースデータを受信した場合に、すでに受信されて待機状態にある印刷ジョブについて、保持されているリソースデータを使用してデータを変換し、変換したデータを退避領域に格納したなら、当該印刷ジョブの処理の完了と判定することを特徴とする請求項１に記載の印刷装置。
【請求項５】  前記リソースデータにはフォントを含み、前記更新手段は、印刷ジョブについて、保持されているリソースデータを使用してイメージデータに変換することを特徴とする請求項４に記載の印刷装置。
【請求項６】  前記印刷ジョブは、出力のために有権者の認証を要する印刷ジョブ含み、前記更新手段は、認証を要する印刷ジョブについては、イメージデータとともに当該イメージデータの出力を許可するための認証情報を格納することを特徴とする前記請求項５に記載の印刷装置。
【請求項７】  前記更新手段は、前記受信手段によりリソースデータを受信した場合に、すでに受信されて待機状態にある印刷ジョブについて、各印刷ジョブごとに指定された宛先に対して、リソースの更新を行う旨の通知を発行する手段をさらに有することを特徴とする請求項１に記載の印刷装置。
【請求項８】  前記印刷ジョブは、出力のために有権者の認証を要する印刷ジョブを含み、前記更新手段は、イメージデータとともに、当該イメージデータの出力を許可するための認証情報を格納することを特徴とする前記請求項４に記載の印刷装置。
【請求項９】  周辺機器管理装置および更新可能なリソースデータを保持する印刷装置と接続された情報処理装置であって、
前記周辺機器管理装置から印刷ジョブと該出力データに処理時に使用されるリソースデータの送信とを受信する受信手段と、
前記受信手段によりリソースデータを受信した後の印刷ジョブの受信を停止し、すでに受信されている印刷ジョブの処理が完了したと判定したなら、前記受信手段により受信したリソースデータにより、前記印刷装置により保持されているリソースデータを更新する更新手段と
を備えることを特徴とする情報処理装置。
【請求項１０】  前記更新手段は、前記受信手段によりリソースデータを受信した場合に、すでに受信されて待機状態にある印刷ジョブの印刷出力がしたなら、当該印刷ジョブの処理の完了と判定することを特徴とする請求項９に記載の情報処理装置。
【請求項１１】  前記更新手段は、前記受信手段によりリソースデータを受信した場合に、すでに受信されて待機状態にある印刷ジョブを削除し、当該印刷ジョブの処理の完了と判定することを特徴とする請求項９に記載の情報処理装置。
【請求項１２】  前記更新手段は、前記受信手段によりリソースデータを受信した場合に、すでに受信されて待機状態にある印刷ジョブについて、イメージデータを生成してそれを退避領域に格納したなら、当該印刷ジョブの処理の完了と判定することを特徴とする請求項９に記載の情報処理装置。
【請求項１３】  前記リソースデータにはフォントを含み、前記更新手段は、印刷ジョブについて、保持されているリソースデータを使用してイメージデータに変換することを特徴とする請求項１２に記載の情報処理装置。
【請求項１４】  前記印刷ジョブは、出力のために有権者の認証を要する印刷ジョブ含み、前記更新手段は、認証を要する印刷ジョブについては、イメージデータとともに当該イメージデータの出力を許可するための認証情報を格納することを特徴とする前記請求項１３に記載の情報処理装置。
【請求項１５】  前記更新手段は、前記受信手段によりリソースデータを受信した場合に、すでに受信されて待機状態にある印刷ジョブについて、各印刷ジョブごとに指定された宛先に対して、リソースの更新を行う旨の通知を発行する手段をさらに有することを特徴とする請求項９に記載の情報処理装置。
【請求項１６】  周辺機器管理装置および更新可能なリソースデータを保持する周辺装置と接続された情報処理装置であって、
前記周辺機器管理装置からリソースデータと該リソースデータを使用して処理される処理要求とを受信する受信手段と、
前記受信手段によりリソースデータを受信した後の処理要求の受信を停止し、すでに受信されている処理要求の処理が完了したと判定したなら、前記受信手段により受信したリソースデータにより、保持されているリソースデータを更新する更新手段と
を備えることを特徴とする情報処理装置。
【請求項１７】  リソースデータを保持可能な印刷装置の制御方法であって、
周辺機器管理装置から印刷ジョブと該印刷ジョブの処理時に使用されるリソースデータとを非同期に受信する受信工程と、
前記受信工程によりリソースデータを受信した後の印刷ジョブの受信を停止し、すでに受信されている印刷ジョブの処理が完了したと判定したなら、前記受信手段により受信したリソースデータにより、保持されているリソースデータを更新する更新工程と
を備えることを特徴とする印刷装置の制御方法。
【請求項１８】  前記更新工程は、前記受信工程によりリソースデータを受信した場合に、すでに受信されて待機状態にある印刷ジョブの印刷出力がしたなら、当該印刷ジョブの処理の完了と判定することを特徴とする請求項１７に記載の印刷装置の制御方法。
【請求項１９】  前記更新工程は、前記受信工程によりリソースデータを受信した場合に、すでに受信されて待機状態にある印刷ジョブを削除し、当該印刷ジョブの処理の完了と判定することを特徴とする請求項１７に記載の印刷装置の制御方法。
【請求項２０】  前記更新工程は、前記受信工程によりリソースデータを受信した場合に、すでに受信されて待機状態にある印刷ジョブについて、保持されているリソースデータを使用してデータを変換し、変換したデータを退避領域に格納したなら、当該印刷ジョブの処理の完了と判定することを特徴とする請求項１７に記載の印刷装置の制御方法。
【請求項２１】  前記リソースデータにはフォントを含み、前記更新工程は、印刷ジョブについて、保持されているリソースデータを使用してイメージデータに変換することを特徴とする請求項２０に記載の印刷装置の制御方法。
【請求項２２】  前記印刷ジョブは、出力のために有権者の認証を要する印刷ジョブを含み、前記更新工程は、認証を要する印刷ジョブについては、イメージデータとともに当該イメージデータの出力を許可するための認証情報を格納することを特徴とする前記請求項２１に記載の印刷装置の制御方法。
【請求項２３】  前記更新工程は、前記受信工程によりリソースデータを受信した場合に、すでに受信されて待機状態にある印刷ジョブについて、各印刷ジョブごとに指定された宛先に対して、リソースの更新を行う旨の通知を発行する工程をさらに有することを特徴とする請求項１７に記載の印刷装置の制御方法。 
【請求項２４】  更新可能なリソースデータを保持する周辺装置の制御方法であって、
リソースデータと該リソースデータを使用して処理される処理要求とを受信する受信工程と、
前記受信工程によりリソースデータを受信した後の処理要求の受信を停止し、すでに受信されて待機状態にある処理要求の処理が完了したと判定したなら、前記受信工程により受信したリソースデータにより、保持されているリソースデータを更新する更新工程と
を備えることを特徴とする周辺装置の制御方法。
【請求項２５】
請求項１７乃至２３のいずれか一項に記載の印刷装置の制御方法をコンピュータにより実行するためのプログラム。
【請求項２６】
請求項２４に記載の周辺装置の制御方法をコンピュータにより実行するためのプログラム。
【手続補正２】
【補正対象書類名】明細書
【補正対象項目名】００１０
【補正方法】変更
【補正の内容】
【００１０】
周辺機器管理装置と接続され、更新可能なリソースデータを保持する印刷装置であって、
前記周辺機器管理装置から印刷ジョブと該印刷ジョブの処理時に使用されるリソースデータとを受信する受信手段と、
前記受信手段によりリソースデータを受信した場合に、それ以降の新たな印刷ジョブの受信を停止し、すでに受信されている印刷ジョブの処理が完了したと判定したなら、前記受信手段により受信したリソースデータにより、保持されているリソースデータを更新する更新手段とを備える。
【手続補正３】
【補正対象書類名】明細書
【補正対象項目名】００１８
【補正方法】変更
【補正の内容】
【００１８】
あるいは、周辺機器管理装置および更新可能なリソースデータを保持する印刷装置と接続された情報処理装置であって、
前記周辺機器管理装置から印刷ジョブと該出力データに処理時に使用されるリソースデータの送信とを受信する受信手段と、
前記受信手段によりリソースデータを受信した後の印刷ジョブの受信を停止し、すでに受信されている印刷ジョブの処理が完了したと判定したなら、前記受信手段により受信したリソースデータにより、前記印刷装置により保持されているリソースデータを更新する更新手段とを備える。